(57)【要約】【課題】種々の物品を回収するための物品回収ボックスとして使用するのに適した物品回収ボックス用セットを提供する。【解決手段】背面枠１と、背面枠１の左右両端に設けられる左右一対の側面枠２，２と、背面枠１、両側面枠２，２の下部間に設けられる底面枠３とを有する運搬用台車Ｂに取り付けて物品回収ボックスＡとして使用するための物品回収ボックス用セットＣであって、背面枠１を覆う背面シート、側面枠２，２を覆う側面シート４２，４２、側面枠２，２の前方部間を覆い、開口４３１が形成された正面シート４３、ならびに、背面シート、側面シート４２，４２および正面シート４３の上端を塞ぐ天井シート４４、を有するカバー体４と、側面枠２，２に取り付けるための取付け部５２，５２、および取付け部５２，５２間に設けられ、側面枠２，２の前方上端間において左右に延びる横方向フレーム部５１１、を有する上部枠体５と、を備える。【選択図】図１
2015048139.tif 000002
【特許請求の範囲】
【請求項１】
背面枠と、この背面枠の左右両端に設けられる左右一対の側面枠と、これら背面枠および一対の側面枠の下部間に設けられる底面枠と、を有する運搬用台車に取り付けて物品回収ボックスとして使用するためのセットであって、
上記背面枠を覆う背面シート、上記一対の側面枠を覆う左右一対の側面シート、上記一対の側面枠の前方部間を覆い、かつ開口が形成された正面シート、ならびに、上記背面シート、上記一対の側面シート、および上記正面シートの上端を塞ぐ天井シート、を有する角筒状のカバー体と、
上記一対の側面枠にそれぞれ着脱可能に取り付けるための一対の取付け部、およびこれら一対の取付け部間に設けられ、上記一対の側面枠の前方上端間において左右に延びる横方向フレーム部、を有する上部枠体と、を備えることを特徴とする、物品回収ボックス用セット。
【請求項２】
上記上部枠体は、上記横方向フレーム部の両端につながるとともにそれぞれが後方に延び、上記一対の側面枠上に載置される一対の前後方向フレーム部を有し、
上記一対の取付け部は、それぞれ上記一対の前後方向フレーム部に設けられている、請求項１に記載の物品回収ボックス用セット。
【請求項３】
上記上部枠体には、熱を感知することにより消火剤を散布する消火器が設けられている、請求項２に記載の物品回収ボックス用セット。
【請求項４】
上記消火器は、上記消火剤を内部に収容する容器本体と、この容器本体を支持し、上記上部枠体の所定部位に取り付けられるホルダと、を備える、請求項３に記載の物品回収ボックス用セット。
【請求項５】
上記上部枠体には、上記カバー体の内側空間において延びる取付用プレートが設けられており、
上記ホルダは、上記容器本体を吊り下げた状態で上記取付用プレートの下面に取り付けられる、請求項４に記載の物品回収ボックス用セット。
【請求項６】
上記取付用プレートの下面には、上記容器本体を囲むように網かごが取付けられている、請求項５に記載の物品回収ボックス用セット。
【請求項７】
上記カバー体の内側において上記開口よりも下方に位置し、上記一対の側面枠の前方部間の所定領域を覆う、内側カバーを備える、請求項１ないし６のいずれかに記載の物品回収ボックス用セット。
【請求項８】
背面枠、この背面枠の左右両端に連結される左右一対の側面枠、ならびに、これら背面枠および一対の側面枠の下部間に設けられる底面枠、を有する運搬用台車と、
上記運搬用台車に取り付けられる、請求項１ないし７のいずれかに記載の物品回収ボックス用セットと、を備えることを特徴とする、物品回収ボックス。
【発明の詳細な説明】
【技術分野】
【０００１】
本発明は、運搬用台車に取り付けて物品回収ボックスとして使用するためのセットに関する。
【背景技術】
【０００２】
従来、物品を運搬するための運搬用台車として、背面枠と、この背面枠の左右両端に連結される一対の側面枠と、底面枠と、を有し、底面枠上に物品を載置するように構成されたものが知られている。このような運搬用台車において、正面側は物品の積み下ろしのために開放されている。上記構成の運搬用台車は、たとえば店舗のバックヤードなどで商品を運搬するのに使用されており、各枠のサイズが大きく、積載可能な物品の容積は比較的に大きい。また、上記構成の運搬用台車に対して、積み込まれた物品の荷崩れ防止や盗難防止の目的で、底面が開口する袋状のカバーを覆い被せるという対策がとられる場合がある（たとえば特許文献１を参照）。
【０００３】
ところで、地球環境保護の観点から、使用済みの物品を回収してリサイクルし、ごみの量を減らすといった取り組みが従前からなされている。たとえばペットボトルなどの飲料容器は、所定の回収ボックスにより分別回収されて、リサイクルされる。近年では、リサイクル対象物品が多岐にわたる。たとえば衣類や古紙などをリサイクル品として回収する場合、専用の回収ボックスを使用するのであれば、当該回収ボックスの容量は大きい方が望ましい。しかしながら、飲料容器の回収などに用いられる回収ボックスは、その容量が比較的に小さく、衣類や古紙などの回収には適していない。
【先行技術文献】
【特許文献】
【０００４】
【特許文献１】特開２０１１−２１８９８５号公報
【発明の概要】
【発明が解決しようとする課題】
【０００５】
本発明は、このような事情のもとで考え出されたものであって、種々の物品を回収するための物品回収ボックスとして使用するのに適した物品回収ボックス用セットを提供することをその課題とする。
【０００６】
上記の課題を解決するため、本発明では、次の技術的手段を講じている。
【０００７】
本発明の第１の側面によって提供される物品回収ボックス用セットは、背面枠と、この背面枠の左右両端に設けられる左右一対の側面枠と、これら背面枠および一対の側面枠の下部間に設けられる底面枠と、を有する運搬用台車に取り付けて物品回収ボックスとして使用するためのセットであって、上記背面枠を覆う背面シート、上記一対の側面枠を覆う左右一対の側面シート、上記一対の側面枠の前方部間を覆い、かつ開口が形成された正面シート、ならびに、上記背面シート、上記一対の側面シート、および上記正面シートの上端を塞ぐ天井シート、を有する角筒状のカバー体と、上記一対の側面枠にそれぞれ着脱可能に取り付けるための一対の取付け部、およびこれら一対の取付け部間に設けられ、上記一対の側面枠の前方上端間において左右に延びる横方向フレーム部、を有する上部枠体と、を備えることを特徴としている。
【０００８】
好ましい実施の形態においては、上記上部枠体は、上記横方向フレーム部の両端につながるとともにそれぞれが後方に延び、上記一対の側面枠上に載置される一対の前後方向フレーム部を有し、上記一対の取付け部は、それぞれ上記一対の前後方向フレーム部に設けられている。
【０００９】
好ましい実施の形態においては、上記上部枠体には、熱を感知することにより消火剤を散布する消火器が設けられている。
【００１０】
好ましい実施の形態においては、上記消火器は、上記消火剤を内部に収容する容器本体と、この容器本体を支持し、上記上部枠体の所定部位に取り付けられるホルダと、を備える。
【００１１】
好ましい実施の形態においては、上記上部枠体には、上記カバー体の内側空間において延びる取付用プレートが設けられており、上記ホルダは、上記容器本体を吊り下げた状態で上記取付用プレートの下面に取り付けられる。
【００１２】
好ましい実施の形態においては、上記取付用プレートの下面には、上記容器本体を囲むように網かごが取付けられている。
【００１３】
好ましい実施の形態においては、上記カバー体の内側において上記開口よりも下方に位置し、上記一対の側面枠の前方部間の所定領域を覆う、内側カバーを備える。
【００１４】
本発明の第２の側面によって提供される物品回収ボックスは、背面枠、この背面枠の左右両端に連結される左右一対の側面枠、ならびに、これら背面枠および一対の側面枠の下部間に設けられる底面枠、を有する運搬用台車と、上記運搬用台車に取り付けられる、上記した本発明の第１の側面によって提供される物品回収ボックス用セットと、を備えることを特徴としている。
【００１５】
本発明のその他の特徴および利点は、添付図面を参照して以下に行う詳細な説明によって、より明らかとなろう。
【図面の簡単な説明】
【００１６】
【図１】本発明の実施形態に係る物品回収ボックスを示す正面図である。
【図２】図１に示す物品回収ボックスの右側面図である。
【図３】運搬用台車の一例を示す正面図である。
【図４】図３に示す運搬用台車の右側面図である。
【図５】図３に示す運搬用台車の平面図である。
【図６】カバー体を背面側から見た斜視図である。
【図７】図１に示す物品回収ボックスからカバー体を取り外した状態を表す。
【図８】図７の右側面図である。
【図９】上部枠体およびこれに設けられる消火器等の全体構成を表す斜視図である。
【図１０】図９の分解斜視図である。
【発明を実施するための形態】
【００１７】
以下、本発明の好ましい実施の形態について、図面を参照して具体的に説明する。
【００１８】
図１、図２は、本発明の実施形態に係る物品回収ボックスを示している。本実施形態の物品回収ボックスＡは、たとえば古紙や衣類（古着）などの物品を回収するためのものであり、運搬用台車Ｂと、この運搬用台車Ｂに取り付けて使用される物品回収ボックス用セットＣと、を備えている。
【００１９】
図３〜図５に表れているように、運搬用台車Ｂは、背面枠１と、この背面枠１の左右両端に設けられる一対の側面枠２，２と、背面枠１および側面枠２，２の下部間に設けられる底面枠３とを備える。背面枠１は、縦長の門形状の枠材１１と、この枠材１１の内側において格子状に設けられた複数本ずつの縦材１２および横材１３と、枠材１１の左右の下端どうしを連結する連結材１４とを有する。各側面枠２は、縦長の門形状の枠材２１と、この枠材２１の内側において格子状に設けられた複数本ずつの縦材２２および横材２３と、枠材２１の前後の下端どうしを連結する連結材２４とを有する。本実施形態において、側面枠２，２は、背面枠１の枠材１１に対して連結部材１５を介して連結されている。側面枠２，２は、背面枠１に対して垂直軸周りに回動可能であり、背面枠１に重なるように折り畳むことができる。
【００２０】
底面枠３は、平面視矩形の板状に構成されており、背面枠１および側面枠２，２の下部間に設けられている。底面枠３は、その左右両端が側面枠２，２の連結材２４に支持されており、水平面に沿う姿勢が維持される。本実施形態において、底面枠３は、背面枠１の下端の連結材１４に対して水平軸周りに回動可能に連結されている。これにより、底面枠３は、背面枠１に重なるように折り畳むことができる。なお、背面枠１、側面枠２，２、および底面枠３は、たとえば所定の強度を有する鋼材によって構成される。
【００２１】
側面枠２，２の各連結材２４の下面には、２個の車輪２４１が前後に離れて設けられている。これにより、運搬用台車Ｂは、地面上を容易に移動させることができる。運搬用台車Ｂにおいて、背面枠１および側面枠２，２は平面視略コの字状となっており、底面枠３上における背面枠１および側面枠２，２に囲まれた直方体状空間に物品を載せることができる。なお、運搬用台車Ｂの正面側（側面枠２，２の前方部間）は開放している。
【００２２】
運搬用台車Ｂの寸法（概ね物品を載せることができる領域の寸法）の一例を挙げると、両側面枠２，２の間の左右方向（幅方向）の寸法が８０ｃｍ程度、底面枠３の前後方向（奥行き方向）の寸法が６０ｃｍ程度、底面枠３から側面枠２，２の上端までの上下方向（高さ方向）の寸法が１５０ｃｍ程度である。
【００２３】
物品回収ボックス用セットＣは、運搬用台車Ｂに取り付けることにより物品回収ボックスＡとして使用するためのセットであり、図１、図２に表れているように、カバー体４と、上部枠体５と、内側カバー６とを備えて構成されている。
【００２４】
カバー体４は、運搬用台車Ｂの形状に対応する角筒状とされており、底面が開口する袋状である。カバー体４は、背面枠１を覆う背面シート４１と、側面枠２，２を覆う左右一対の側面シート４２，４２と、側面枠２，２の前方部間を覆う正面シート４３と、角筒状をなすこれらシート４１，４２，４２，４３の上端を塞ぐ天井シート４４とを有し、運搬用台車Ｂの背面枠１および側面枠２，２に対して略隙間なく被せることができる大きさとされている。カバー体４は、たとえば不燃性または難燃性の不透明な膜材料によって構成されている。
【００２５】
正面シート４３の上部寄りには、矩形状の開口４３１が形成されている。開口４３１のサイズは、幅寸法が６０ｃｍ程度、上下寸法が３５ｃｍ程度とされて比較的大きくされている。開口４３１の上縁から正面シート４３の上端までの寸法は、たとえば１５ｃｍ程度である。
【００２６】
正面シート４３と両側面シート４２，４２との間、天井シート４４と、正面シート４３、両側面シート４２，４２および背面シート４１との間は、たとえば縫い合わされて一体的に接合されている。一方、図６に表れているように、両側面シート４２，４２の後方端は背面側に折り返されており、側面シート４２，４２の後方端および背面シート４１の左右両端には面ファスナ４２１，４１１が設けられている。このような構成により、運搬用台車Ｂに対するカバー体４の取り付けあるいは取り外しの作業は、面ファスナ４２１，４１１を互いに分離して背面シート４１を捲り上げておくことにより（図６において仮想線で表す）、簡単に行うことができる。
【００２７】
上部枠体５は、図１、図２、図７、図８に表れているように、運搬用台車Ｂの正面側の上部間を橋渡し状につなぐものである。上部枠体５は、図９、図１０に表れているように、平面視略コの字状のフレーム５１と、一対の取付け部５２，５２とを備えて構成されている。
【００２８】
フレーム５１は、左右に延びるフレーム部５１１と、このフレーム部５１１の両端からそれぞれが後方に延びる一対のフレーム部５１２，５１２とを有する。
【００２９】
図７、図８に表れているように、フレーム部５１２，５１２は、側面枠２，２の枠材２１，２１上に載置される。より具体的には、フレーム部５１２は、枠材２１の前方端付近から後方に向けて延びており、枠材２１上端において前後方向に延びる水平部２１１に重ねられている。フレーム部５１２の前後方向寸法は、たとえば２０ｃｍ程度とされており、フレーム部５１２の後方端は、水平部２１１の前後方向における中央よりも前側に位置する。図１、図２、図７、図８に表れているように、フレーム部５１１は、側面枠２，２の前方上端間において左右に延びている。
【００３０】
取付け部５２，５２は、上部枠体５を側面枠２，２に対して着脱可能に取り付けるためのものであり、本実施形態では、フレーム部５１２，５１２に設けられている。より具体的には、図７〜図１０に表れているように、取付け部５２は、たとえば、フレーム部５１２から下方に延びる一対の突出片５２１，５２１と、一方の突出片５２１に形成されたネジ孔５２１ａに螺合される取付けネジ５２２（図９、図１０では図示せず）とを有する。図７〜図９等から理解されるように、側面枠２，２に対して上部枠体５を取り付ける際には、まず、一対の突出片５２１，５２１間に側面枠２の水平部２１１が位置するようにフレーム部５１２を水平部２１１上に載置する。次いで、取付けネジ５２２を締め込み、当該取付けネジ５２２を水平部２１１の下方に突出させる。このとき、上部枠体５を引き上げようとしても、取付けネジ５２２が水平部２１１に当接するので、上部枠体５が不当に分離することは防止される。なお、上部枠体５は、たとえば所定の強度を有する鋼材によって構成される。
【００３１】
本実施形態において、図７〜図１０に表れているように、上部枠体５には消火器７が設けられている。消火器７は、熱を感知することにより消火剤を散布するように構成されており、たとえば消火剤を内部に収容する容器本体７１と、この容器本体７１を支持するホルダ７２と、を備える。容器本体７１は、たとえばガラスアンプルによって構成されている。この構成により、容器本体７１の周囲が所定以上の高温状態に達すると、容器本体７１の内部の消火剤の熱膨張によって当該容器本体７１が割れ、内容物たる消火剤が周囲に散布される。
【００３２】
本実施形態においてはまた、図９、図１０から理解されるように、上部枠体５には、ホルダ７２を取り付けるためのプレート５３が設けられている。プレート５３は、たとえば、所定の厚みを有する鋼材からなり、フレーム部５１１の下面に重ねられて溶接などの適宜手段によってフレーム部５１１（上部枠体５）に固定されている。図２、図８、図９から理解されるように、プレート５３は、カバー体４の内側空間において略水平姿勢で延びている。図８に表れているように、ホルダ７２は、容器本体７１を吊り下げた状態で、プレート５３の下面に対してたとえばネジ止めなどの適宜手段によって着脱可能に取り付けられている。
【００３３】
本実施形態において、図７〜図１０から理解されるように、プレート５３の下面には、容器本体７１を囲むように網かご５４が取り付けられている。網かご５４は、たとえば金属製線材によって形成された、上方が開口するメッシュ状のかご本体５４１と、かご本体５４１の上端の適所に設けられた板状の取付け片５４２と、を有する。網かご５４は、取付け片５４２をプレート５３の下面に重ね合わせた状態で、たとえばネジ止めなどの適宜手段によって着脱可能に取り付けられている。図７、図８から理解されるように、網かご５４をプレート５３に取り付けた状態においては、容器本体７１（消火器７）は、網かご５４（かご本体５４１）の内側に収容される。本実施形態においては、図１に表れているように、網かご５４（かご本体５４１）の下端は、正面シート４３の開口４３１よりも上位に位置している。
【００３４】
図１、図７に表れているように、内側カバー６は、運搬用台車Ｂの側面枠２，２の前方部間の所定領域を覆うものであり、正面シート４３の開口４３１よりも下方に位置する。図７から理解されるように、内側カバー６は、カバー体４を運搬用台車Ｂに被せる前に当該運搬用台車Ｂに取り付けられており、カバー体４の内側にある。なお、図７、図８において、内側カバー６については、ハッチングを施すとともに透過するように表している。内側カバー６は、たとえば所定の強度を有する不燃性または難燃性のシート部材によって構成されている。
【００３５】
図７、図８から理解されるように、内側カバー６は、たとえば適所に設けられた帯状のバンド部６１を、側面枠２，２（枠材２１）の前方端において上下方向に延びる垂直部２１２に巻き付け、図示しない面ファスナを接合することによって、着脱可能に取り付けられる。
【００３６】
次に、本実施形態の物品回収ボックス用セットＣおよびこれを備えた物品回収ボックスＡの作用について説明する。
【００３７】
本実施形態の物品回収ボックス用セットＣは、カバー体４、上部枠体５、および内側カバー６を備え、運搬用台車Ｂに取り付けて使用される。上述のように、運搬用台車Ｂは、背面枠１および側面枠２，２が平面視コの字状となっており、底面枠３上の背面枠１および側面枠２，２に囲まれた直方体状空間に物品を積載可能である。その一方、運搬用台車Ｂの正面側は開放している。また、各枠１，２，３のサイズは比較的に大きく、積載可能な物品の容積は比較的大きい。
【００３８】
本実施柄形態では、運搬用台車Ｂには、底面が開口する袋状のカバー体４が被せられる。カバー体４については、角筒状をなす背面シート４１，側面シート４２，４２、および正面シート４３が、運搬用台車Ｂの背面枠１および側面枠２，２を囲っている。運搬用台車Ｂの正面側の開放部分は、正面シート４３によって覆われるが、この正面シート４３の上部寄りには、開口４３１が形成されている。このような構成によれば、開口４３１および運搬用台車Ｂの正面側の開放部分を通じて、カバー体４の内部に物品を投入することができ、種々の物品を回収するための物品回収ボックスＡとして使用するのに適する。また、容量の大きい運搬用台車Ｂを用いることにより、たとえば衣類等の比較的に容積が嵩む物品をリサイクル品として回収する場合でも、効率よく回収することができる。なお、正面シート４３に形成される開口４３１について、カバー体４の内側空間を物品回収のための空間として有効活用する観点から、正面シート４３の上部寄りに設けるのが好ましいが、開口４３１の形成位置は任意に選択可能である。
【００３９】
図７〜図９に示すように、上部枠体５は、側面枠２，２にそれぞれ着脱可能に取り付けるための一対の取付け部５２，５２と、これら取付け部５２，５２間に設けられるフレーム部５１１とを有する。フレーム部５１１は、側面枠２，２の前方上端間において左右に延びている。カバー体４は、運搬用台車Ｂに対応して比較的に大きなサイズとされるところ、運搬用台車Ｂへの装着時には、平面視コの字状とされた背面枠１および側面枠２，２によって、カバー体４の後方上端および左右両側方上端が支持される。一方、運搬用台車Ｂの正面側（前方側）は開放しているが、上部枠体５を側面枠２，２に取り付けると、側面枠２，２の前方上端間において延びるフレーム部５１１によって、カバー体４の前方上端部が支持される。したがって、上部枠体５を具備する構成によれば、カバー体４の前方側の正面シート４３ないし天井シート４４が垂れ下がるという事態を防止することができ、カバー体４を所定形状に維持することができる。物品回収ボックスＡは、たとえば、店舗の入口付近など人目に付く場所に設置されるが、カバー体４の外観形状が崩れない構成は、見栄えもよく好都合である。
【００４０】
上部枠体５は、フレーム部５１１の両端につながるとともにそれぞれが後方に延びる一対のフレーム部５１２，５１２を有する。フレーム部５１２，５１２は、側面枠２，２上に載置され、フレーム部５１２，５１２に取付け部５２，５２が設けられている。このような構成によれば、側面枠２，２への上部枠体５の取り付けを簡単に行うことができる。
【００４１】
上部枠体５には、熱を感知することにより消火剤を散布する消火器７が設けられている。たとえば古紙や衣類などの可燃物を回収する場合には出火の危険性があるところ、上記消火器７を具備する構成によれば、万一、回収された物品に火が付いても、燃え広がるという事態を回避することができる。
【００４２】
消火器７は、消火剤を内部に収容する容器本体７１と、容器本体７１を支持するホルダ７２とを備え、ホルダ７２は、容器本体７１を吊り下げた状態で、上部枠体５に設けられたプレート５３の下面に取り付けられる。このような構成によれば、容器本体７１（消火器７）は、上部枠体５に適切に支持される。また、容器本体７１の上方がプレート５３によって覆われているので、消火剤が散布する際、当該散布材を火元である下方に向かわせることができる。
【００４３】
プレート５３の下面には、容器本体７１を囲むように網かご５４が取り付けられている。このような構成によれば、容器本体７１に回収物品等が接触するのを防止し、容器本体７１の破損を防止するができる。
【００４４】
本実施形態において、運搬用台車Ｂには、内側カバー６が取り付けられる。内側カバー６は、カバー体４の内側において開口４３１よりも下方に位置し、側面枠２，２の前方部間の所定領域を覆う。このような構成によれば、物品回収ボックスＡ内部に回収された物品が運搬用台車Ｂの正面側（前方側）の開放部分を通じて落下するのを防止することができ、また、上記回収された物品によってカバー体４に作用する負荷を軽減することができる。
【００４５】
以上、本発明の具体的な実施形態を説明したが、本発明はこれに限定されるものではなく、発明の思想から逸脱しない範囲内で種々な変更が可能である。本発明に係る物品回収ボックス用セットの各部の具体的な形状や材質なども、上記実施形態に限定されるものではない。
【００４６】
上記実施形態においては、上部枠体５について、フレーム部５１１の両端から後方に延びるフレーム部５１２，５１２を一対の側面枠２，２（枠材２１の水平部２１１）上に載せて当該側面枠２，２に取り付けていたが、上部枠体５を一対の側面枠２，２に取り付ける態様はこれに限定されない。たとえば、上部枠体５については、フレーム部５１１の両端から下方に延びる一対のフレーム部を設け、当該下方に延びる一対のフレーム部を一対の枠材２，２の垂直部２１２，２１２に重ねた状態で側面枠２，２に取り付ける構成としてもよい。
【００４７】
上記実施形態においては、カバー体４の正面シート４３に一つの開口４３１を形成する場合を例に挙げて説明したが、これに限定されない。複数種類の物品を回収する場合には、たとえば、カバー体４の内側空間を回収する物品の種類に対応させて複数に区画するように運搬用台車Ｂに間仕切りを設け、カバー体４の内部空間の複数の区画にそれぞれ対応する複数の開口４３１を正面シート４３に設けてもよい。
【００４８】
また、正面シートには、物品回収ボックスＡによって回収する物品を示す表記（たとえば「古紙回収」、「古着回収」など）を付してもよく、また、適宜装飾を施したり、あるいはチラシ等の配布物を収容するポケットを設けてもよい。
【符号の説明】
【００４９】
Ａ        物品回収ボックス
Ｂ        運搬用台車
Ｃ        物品回収ボックス用セット
１        背面枠
２        側面枠
３        底面枠
４        カバー体
４１      背面シート
４２      側面シート
４３      正面シート
４３１    開口
４４      天井シート
５        上部枠体
５１１    フレーム部（横方向フレーム部）
５１２    フレーム部（前後方向フレーム部）
５２      取付け部
５３      プレート（取付用プレート）
５４      網かご
６        内側カバー
７        消火器
７１      容器本体
７２      ホルダ
【図１】
2015048139.tif 000003
【図２】
2015048139.tif 000004
【図３】
2015048139.tif 000005
【図４】
2015048139.tif 000006
【図５】
2015048139.tif 000007
【図６】
2015048139.tif 000008
【図７】
2015048139.tif 000009
【図８】
2015048139.tif 000010
【図９】
2015048139.tif 000011
【図１０】
2015048139.tif 000012